(57)【要約】【課題】  ファクシミリ受信して一旦蓄積した画像データから、利用者宛のものを特定して印字出力できるファクシミリ装置を提案する。【解決手段】  発信元情報を登録する発信元登録メモリと、ファクシミリ受信した画像データを画像メモリに保存するときに、そのファクシミリ受信時に送信元から送信されてくるファクシミリ通信手順信号から発信元情報を抽出して、受信した画像データに関連づけて発信元登録メモリに保存しておき、かつ、発信元情報を指定した印字指令を受けたときには、発信元登録メモリを参照して、指定された発信元情報の登録有無を判別し、登録がある場合には、その発信元情報に関連付けて画像メモリに保存した画像データを読み出して印字出力させる印字制御手段とを備えている。【選択図】図１
2005150858.tif 000002
【特許請求の範囲】
【請求項１】
メモリ受信機能を備えたファクシミリ装置において、
発信元情報を登録する発信元登録メモリと、
ファクシミリ受信した画像データを画像メモリに保存するときに、そのファクシミリ受信時に送信元から送信されてくるファクシミリ通信手順信号から発信元情報を抽出して、受信した画像データに関連付けて上記発信元登録メモリに保存しておき、かつ
発信元情報を指定した印字指令を受けたときには、上記発信元登録メモリを参照して、指定された発信元情報の登録有無を判別し、登録がある場合には、その発信元情報に関連付けて上記画像メモリに保存している画像データを読み出して印字出力させる印字制御手段とを備えている、ファクシミリ装置。
【請求項２】
メモリ受信機能を備えたファクシミリ装置において、
発信元情報を登録する発信元登録メモリと、
ファクシミリ受信の待ち受け時間を予め設定したタイマ手段と、
発信元情報を指定した受信待ち指令を受けたときには、指定された上記発信元情報を発信元登録メモリに登録して、タイマ手段を起動し、
受信待ち受け時間が経過するまでの間は、ファクシミリ受信を受ける毎に、そのファクシミリ通信手順信号から発信元情報を抽出し、かつ、発信元登録メモリを参照して、その発信元情報の登録有無を判別し、登録がある場合には、そのファクシミリ受信した画像データを印字出力させる印字制御手段とを備えている、ファクシミリ装置。
【請求項３】
メモリ受信機能を備えたファクシミリ装置において、
発信元情報を登録する発信元登録メモリと、
ファクシミリ受信の待ち受け時間を予め設定したタイマ手段と、
発信元情報を指定した受信待ち指令を受けたときには、その発信元情報を上記発信元登録メモリに登録して、タイマ手段を起動し、
受信待ち受け時間が経過するまでの間は、ファクシミリ受信を受ける毎に、そのファクシミリ通信手順信号から発信元情報を抽出し、かつ、上記発信元登録メモリを参照して、その発信元情報の登録有無を判別し、登録がある場合には、受信した画像データを画像メモリに一旦保存し、
その後、同一の発信元情報を指定した印字指令を受けたときには、上記画像メモリに保存した画像データを読み出して印字出力させる印字制御手段とを備えている、ファクシミリ装置。
【請求項４】
請求項１〜３のいずれかであって、
無線信号受信部を備え、携帯無線端末からの通信によって上記発信元情報を指定した印字指令乃至受信待ち指令を受付けるようにしている、ファクシミリ装置。
【発明の詳細な説明】
【技術分野】
【０００１】
本発明は、ファクシミリ受信した画像データを画像記憶手段に一旦蓄積して、その後で記録紙上に印字出力するファクシミリ装置に関する。
【背景技術】
【０００２】
従来より、コンビニエンスストアなど不特定多数の者が入退場する場所にファクシミリ装置を設置し、利用者から代金を徴収するという使用形態がある。
その場合、画像のコピーやファクシミリ送信については、利用者は自分の持参した原稿をコピーし、あるいはその原稿を読み取らせ、ファクシミリ番号を入力してファクシミリ送信するから、何の問題も生じない。また、ファクシミリ受信においては、利用者が携帯電話等でファクシミリ装置のファクシミリ番号を送信者側へ通知してファクシミリ送信させることにより、その画像を受信することが可能であるが、その利用者の目前で画像処理装置が受信した画像が、その利用者宛であるか否かについては、その画像を印字出力してみない限り確かめることができない。
【０００３】
しかしながら、その画像を印字した結果、その利用者宛でなかったときには、その画像を発信者と全く無関係の利用者が閲覧したことになって良俗に反するばかりか、代金をその利用者から徴収することもできず、印字コスト自体も全く無駄になってしまう。
したがって、このような不測の事態を避けるために、不特定多数の者に利用されるファクシミリ装置は、ファクシミリ受信機能を停止させて、送信のみ可能な状態にしておくしかなかった。なお、このような問題点を解決する先行特許文献は存在しない。
【発明の開示】
【発明が解決しようとする課題】
【０００４】
本発明は、上記したファクシミリ受信における不測の事態の発生を防止し、ファクシミリを不特定多数の者がより気軽に有効利用できることを課題とする。このために、ファクシミリ受信した画像データから、利用者宛のものを特定して印字出力できる画像処理装置を提案することを目的としている。
【課題を解決するための手段】
【０００５】
課題を解決するために、第１の本発明である請求項１では、メモリ受信機能を備えたファクシミリ装置において、発信元情報を登録する発信元登録メモリと、ファクシミリ受信した画像データを画像メモリに保存するときに、そのファクシミリ受信時に送信元から送信されてくるファクシミリ通信手順信号から発信元情報を抽出して、受信した画像データに関連づけて発信元登録メモリに保存しておき、かつ、発信元情報を指定した印字指令を受けたときには、発信元登録メモリを参照して、指定された発信元情報の登録有無を判別し、登録がある場合には、その発信元情報に関連付けて画像メモリに保存した画像データを読み出して、印字出力部を駆動し印字出力させる印字制御手段とを備えているファクシミリ装置を提案する。
【０００６】
第２の本発明である請求項２では、メモリ受信機能を備えたファクシミリ装置において、発信元情報を登録する発信元登録メモリと、ファクシミリ受信の待ち受け時間を予め設定したタイマ手段と、発信元情報を指定した受信待ち指令を受けたときには、指定された発信元情報を発信元登録メモリに登録して、タイマ手段を起動し、受信待ち受け時間が経過するまでの間は、ファクシミリ受信を受ける毎に、そのファクシミリ通信手順信号から発信元情報を抽出し、かつ、発信元登録メモリを参照して、その発信元情報の登録有無を判別し、登録がある場合には、印字出力部を駆動して印字出力させる印字制御手段とを備えているファクシミリ装置を提案する。
【０００７】
第３の本発明である請求項３では、メモリ受信機能を備えたファクシミリ装置において、発信元情報を登録する発信元登録メモリと、ファクシミリ受信の待ち受け時間を予め設定したタイマ手段と、発信元情報を指定した受信待ち指令を受けたときには、その発信元情報を発信元登録メモリに登録して、タイマ手段を起動し、受信待ち受け時間が経過するまでの間は、ファクシミリ受信を受ける毎に、そのファクシミリ通信手順信号から発信元情報を抽出し、かつ、発信元登録メモリを参照して、その発信元情報の登録有無を判別し、登録がある場合には、受信した画像データを画像メモリに一旦保存し、その後、同一の発信元情報を指定した印字指令を受けたときには、画像メモリに保存した画像データを読み出して、印字出力部を駆動し印字出力させる印字制御手段とを備えている、ファクシミリ装置を提案する。
【０００８】
請求項４では、上記において、無線信号受信部を備え、携帯無線端末からの通信によって上記発信元情報を指定した印字指令乃至受信待ち指令を受付け処理する機能を備えたファクシミリ装置を提案する。
【発明の効果】
【０００９】
請求項１で提案したファクシミリ装置では、すでに受信した画像データから、利用者宛のものを特定し、印字出力することができるので、第３者宛の画像データを誤って印字出力させてしまうことがない。従って、コンビニエンスストアなど不特定多数の者が入退場する場所に設置されたファクシミリ装置でも、利用者にファクシミリ受信機能を使わせることができる。
【００１０】
請求項２で提案したファクシミリ装置では、ファクシミリ受信する前に、利用者が任意の発信番号を指定した受信待ち指令を入力して、そのファクシミリ受信を待ち受けることができる。従って、コンビニエンスストアなど不特定多数の者が入退場する場所に設置されたファクシミリ装置でも、利用者にファクシミリ受信機能を使わせることができる。
【００１１】
請求項３で提案したファクシミリ装置では、請求項２で提案したファクシミリ装置では、ファクシミリ受信する前に、利用者が任意の発信番号を指定した受信待ち指令を入力して、その場を一時的に離れたり、その場に居ない場合でも待ち受け時間内にファクシミリ受信があれば、その後に再度同一の発信元情報を指定した印字指令を入力するだけで、受信画像を印字させることができるから、秘密性が保持でき、更に使い勝手が向上する。
【００１２】
請求項４で提案したファクシミリ装置では、利用者は携帯無線端末で任意の発信元情報を送信して入力できるから、利便性が向上する。
【発明を実施するための最良の形態】
【００１３】
以下、本発明の実施例を図面について説明する。
【実施例１】
【００１４】
図１は、実施例であるファクシミリ装置の構成を説明するブロック図である。図に示すように、ファクシミリ機能を有するファクシミリ装置は、装置の他の部分を制御するＣＰＵ１と、ＣＰＵ１が実行するソフトウェアやデータを格納しているＲＯＭ２と、装置機能の情報を表示するＬＣＤとそのコントローラで形成された表示部３と、通信回線を介して画像データを送受信するモデム部４と、画像データなどを蓄積するＲＡＭ５と、インタフェース部６と、無線受信部３０とがローカルバスを介して互いに接続されている。
【００１５】
更にインタフェース部６には、キーボードにより指示を入力する操作部７と、媒体である記録紙を搬送する搬送部８と、コピーあるいはファクシミリ受信した画像を記録紙上に印字出力するプリンタ部９と、コピーあるいはファクシミリ送信する画像を読み取るスキャナ部１０などの機構部とが接続されている。
【００１６】
ＣＰＵ１は、ソフトウェア処理によって上記各構成要素を制御するが、特にモデム部４がファクシミリ受信を行う毎に、その発信元情報をファクシミリ通信手順信号から取得する発信元情報取得手段としての機能と、印字指令を判断して、媒体上に画像を印字出力させる印字制御手段としての機能を実装している。
【００１７】
モデム部４は、通信回線を接続遮断するＮＣＵを有し、ＣＰＵ１が書き込むデータを逐次変調して通信回線に出力する一方、通信回線から受信した信号を逐次復調して、ＣＰＵ１が読み出すデータを用意する。
【００１８】
図２は、ＲＡＭ５の割り当てを説明するメモリマップである。
実施例において、ＲＡＭ５は画像メモリ５１、発信元登録メモリ５２に区切られている。これら画像メモリ５１、発信元登録メモリ５２は、複数のファクシミリ受信に対応するため、ブロックに分割されて使用される。
【００１９】
画像メモリ５１では、ファクシミリ受信毎の画像データが、そのデータサイズに応じて大きさを調整されたブロックに保存される。発信元登録メモリ５２では、ファクシミリ通信手順信号から取得された発信元情報が、送信されてきた画像データを格納する画像メモリ５１のブロック位置を特定するポインタと伴に保存される一方、操作部７のキー操作や、パーソナルコンピュータなどから入力された印字指令で指定された発信元情報が、受信や印字処理状態を示す値と共に保存される。
【００２０】
無線受信部３０は、図に示していない携帯無線端末から印字条件を入力させるもので、第１の本発明や後述する第２の本発明には必須の構成要素ではない。しかし、この無線受信部３０を備えたファクシミリ装置においては、利用者が、操作部７のみならず自分の携帯無線端末からでも印字条件を入力できるから、使い勝手が向上する（請求項４）。
ファクシミリ装置は、コピー機能とファクシミリ送受信機能を有しているが、そのコピー機能とファクシミリ送信機能は、従来のファクシミリ装置と同様であるから説明を省略し、以下では、第１の本発明の特徴であるファクシミリ受信機能を図３のフローチャートについて説明する。
【００２１】
第１の本発明は、既に受信して一旦蓄積された複数の画像データから、利用者が入力した発信元情報と対応した画像データを印字出力する点に特徴がある。ＣＰＵ１は、ソフトウェアに基づいて、フローチャートの処理を実行する。
【００２２】
図４は、図３のフローチャートの一部分を分割し記述したものである。
まず、ファクシミリ装置Ｆが起動されると、操作部７などから発信元情報を指定した印字指令が入力されるまで、ファクシミリ受信の着信を待機する（１０１〜１０２）。
ファクシミリ受信を開始すれば、モデム部４から読み出したファクシミリ通信手順から、その発信元情報を取得する（１００１）。そして、その取得した発信元情報と、受信中の画像データが格納される画像メモリ５１のブロック位置を特定するポインタとを組み合わせて、発信元登録メモリ５２へ蓄積する（１００２）。その後、モデム部４から読み出したデータから画像データを組み立てると、所定形式に符号化して画像メモリ５１へ蓄積する（１００３）。従って、ファクシミリ送信者の発信元情報は、受信した画像データに関連づけて、発信元登録メモリ５２に記憶されていることになる。
【００２３】
利用者が自分宛の画像データを特定して印字出力させるために、その印字指令を操作部７から入力すると、インタフェース部６を介して操作部７から入力された文字を読み出して、指定された発信元情報を組み立て、発信元登録メモリ５２に保存する（１０３）。
次に、発信元登録メモリ５２から画像データに関連づけた複数の発信元情報を順次読み出して、印字指令が指定する発信元情報の登録有無を調べる（１００４〜１００６））。そこで、登録があれば、そのポインタで特定される画像メモリ５１のブロックから画像データを読み出して、印字用ビットマップを作成すると、インタフェース部６を介して、プリンタ部９を起動し印字データを送信して印字出力させる（１００７〜１００８）。
【００２４】
ここで、印字指令が指定する発信元情報と一致する、画像データに関連づけた発信元情報が見つからなければ、ワーニングを表示部３に表示させて（１０４）、処理を終了する。
このように、第１の本発明によれば、既に受信して一旦蓄積された複数の画像データから、利用者が入力した任意の発信元情報と対応した画像データを特定して、印字出力できる。
【００２５】
次に第２の本発明の実施例を図面について説明する。
図５は、実施例であるファクシミリ装置の構成を説明するブロック図である。図に示すように、ファクシミリ機能を有するファクシミリ装置は、装置の他の部分を制御するＣＰＵ２１と、ＣＰＵ２１が実行するソフトウェアやデータを格納しているＲＯＭ２２と、装置機能の情報を表示するＬＣＤとそのコントローラで形成された表示部２３と、通信回線を介して画像データを送受信するモデム部２４と、画像データなどを蓄積するＲＡＭ２５と、インタフェース部２６と、ファクシミリ受信の待ち時間を予め設定したタイマ手段２０がローカルバスを介して互いに接続されている。
更にインタフェース部２６には、キーボードにより指示を入力する操作部２７と、媒体であるコピー用紙を搬送する搬送部２８と、コピーあるいはファクシミリ受信した画像をコピー用紙上に印字出力するプリンタ部２９と、コピーあるいはファクシミリ送信する画像を読み取るスキャナ部２１０などの機構部とがシリアルバスを介して接続されている。
【００２６】
ＣＰＵ２１は、ソフトウェア処理によって上記各構成要素を制御するが、特にモデム部２４がファクシミリ受信を行う毎に、その発信元情報をファクシミリ通信手順信号から取得する発信元情報取得手段としての機能と、受信待ち指令を判断して、媒体上に画像を印字出力させる印字制御手段としての機能を実装している。
モデム部２４は、通信回線を接続遮断するＮＣＵを有し、ＣＰＵ２１が書き込むデータを逐次変調して通信回線に出力する一方、通信回線から受信した信号を逐次復調して、ＣＰＵ２１が読み出すデータを用意する。
【００２７】
図６は、ＲＡＭ２５の割り当てを説明するメモリマップである。
実施例において、ＲＡＭ２５は画像メモリ２５１、発信元登録メモリ２５２に区切られている。これら画像メモリ２５１、発信元登録メモリ２５２は、複数のファクシミリ受信に対応するため、ブロックに分割されて使用される。
【００２８】
画像メモリ２５１では、ファクシミリ受信毎の画像データが、そのデータサイズに応じて大きさを調整されたブロックに保存される。発信元登録メモリ２５２では、ファクシミリ通信手順信号から取得された発信元情報が、送信されてきた画像データを格納する画像メモリ２５１のブロック位置を特定するポインタと伴に保存される一方、受信待ち指令で指定された発信元情報が、受信や印字処理状態を示す値と共に保存される。
タイマ手段２０は、受信時間を制限するため、起動後に設定されたファクシミリ受信の待ち時間が経過すれば、それをＣＰＵ２１に通知する。
【００２９】
ファクシミリ装置は、コピー機能とファクシミリ送受信機能を有しているが、そのコピー機能とファクシミリ送信機能は、従来のファクシミリ装置と同様であるから説明を省略し、以下、第２の発明の特徴であるファクシミリ受信の処理を、図７のフローチャートについて説明する。そのフローチャートの一部は、前述と同様に図４に分割されて記載されている。
【００３０】
第２の本発明は、そのファクシミリ受信動作において、あらかじめ利用者が任意の発信元情報を入力しておけば、その発信元情報と対応した画像データを受信したときに印字出力する点に特徴がある。
まず、ファクシミリ装置が起動されると、操作部２７から発信元情報を指定した受信待ち指令が入力されるまで、ファクシミリ受信の着信を待機する（２０１〜２０２）。なお、着信が検知されたときの動作は、第１の発明の場合と同様である（１００１〜１００３）。
利用者が自分宛の画像データを特定して印字出力させるために、受信待ち指令を操作部２７から入力すると、インタフェース部２６を介して操作部２７から入力された文字を読み出して、発信元情報を組み立て、発信元登録メモリ２５２に記憶する（２０３）。
このとき、タイマ手段２０が起動される（２０４）。
【００３１】
次に、発信元登録メモリ２５２から画像データに関連づけた複数の発信元情報を順次読み出して、受信待ち指令が指定した発信元情報の登録有無を調べる（１００４〜１００６）。そこで、登録があれば、そのポインタで特定される画像メモリ２５１のブロックから画像データを読み出し、印字用ビットマップを作成すると、インタフェース部２６を介して、プリンタ部２９を起動し印字データを送信して印字出力させる（１００７〜１００８）。すなわち、この実施例では、受信待ち指令であっても、既にその画像を受信していれば、印字出力される構成としている。
【００３２】
このときに、登録がないことが最後に判明すれば、受信待ち指令が指定した発信元情報を、受信待ち受けを示す状態として、発信元登録メモリ２５２に記憶する。
その後、タイマ手段２０が所定時間経過をＣＰＵ２１に通知するまで、ファクシミリ受信の着信がある毎に、発信元登録メモリから受信待ち指令の指定した発信元情報を読み出す（２０５〜２０６）。そして、発信元登録メモリ２５２から画像データに関連づけた複数の発信元情報を順次読み出して、受信待ち指令の指定した発信元情報の登録有無を調べる（１００４〜１００６）。そこで、登録があれば、そのポインタで特定される画像メモリ２５１のブロックから画像データを読み出して、印字用ビットマップを作成すると、インタフェース部２６を介して、プリンタ部２９を起動し、印字データを送信して印字出力させる（１００７〜１００８）
ここで、所定時間の経過を通知されれば、ワーニングを表示部２３に表示させて（２０７）、処理を終了する。
【００３３】
このように、第２の発明によれば、前もって利用者が任意の発信元情報を指定した受信待ち指令を入力すれば、その発信元情報のファクシミリ送信を受信したときに、その画像データが印字出力される。
【００３４】
最後に、第３の本発明を説明する。
第３の本発明では、利用者が任意の発信元情報を入力するときに、受信時に印字出力をさせないことを指定して入力できる構成とされる。
このためには、上記の処理手順において、利用者が入力した発信元情報の状態を印字不可の状態として、発信元登録メモリに記憶すればよい。ＣＰＵは、受信待ち指令の指定する発信元情報の状態の値を判断して、印字出力を行うか否かを判断する。
このあと、使用者が同一の発信元情報を指定する印字指令を入力すれば、画像メモリに保存した画像データを読み出して、印字出力部を駆動し印字出力させる。
【００３５】
なお、第２、第３の本発明においても、第１の本発明で説明した無線受信部を備えれば、使用者が発信元情報を自分の携帯無線端末からでも印字条件を入力できるから、使い勝手が向上する。
【図面の簡単な説明】
【００３６】
【図１】第１の本発明の実施例であるファクシミリ装置の基本構成を説明するブロック図である。
【図２】ＲＡＭの割り当てを説明するメモリマップ図である。
【図３】第１の本発明の実施例であるファクシミリ装置におけるファクシミリ受信時の基本処理手順を説明するフローチャートである。
【図４】図３に示したフローチャートの一部を分割して記載した図面である。
【図５】第２の本発明の実施例であるファクシミリ装置の基本構成を説明するブロック図である。
【図６】ＲＡＭの割り当てを説明するメモリマップ図である。
【図７】第２の本発明の実施例であるファクシミリ装置におけるファクシミリ受信時の基本処理手順を説明するフローチャートである。
【符号の説明】
【００３７】
１、２１        ＣＰＵ
５、２５        ＲＡＭ
２０            タイマ手段
５１、２５１    画像メモリ
５２、２５２    発信元登録メモリ
【図１】
2005150858.tif 000003
【図２】
2005150858.tif 000004
【図３】
2005150858.tif 000005
【図４】
2005150858.tif 000006
【図５】
2005150858.tif 000007
【図６】
2005150858.tif 000008
【図７】
2005150858.tif 000009